(57)【特許請求の範囲】
【請求項１】
患者の背部を支持するバックレストに、患者の頭部を支持するヘッドレストが前記バックレストに対して傾動自在に設けられる医療用診療台において、
バックレストには、患者の両肩部を支持する各肩支持部からヘッドレストの両側方に斜め上方に延びる張出し部がそれぞれ形成され、
各張出し部はバックレストに一体に形成されることを特徴とする医療用診療台。
【請求項２】
ヘッドレストの両側部は、各張出し部の前記ヘッドレストが嵌まり込む凹所を挟んで斜め上方に立上がり、相互に隣接する各対向部に枢支されることを特徴とする請求項１記載の医療用診療台。
【請求項３】
前記張出し部の下方には、インスツルメントが保持されることを特徴とする請求項１または２記載の医療用診療台。
【発明の詳細な説明】
【０００１】
【発明の属する技術分野】
本発明は、歯科、耳鼻科および眼科などで用いられる診療台において、患者が仰向けに横臥した姿勢で、患者の頭髪がヘッドレストの回転部に巻付いたり、術者のひざ、手や治療機器へ垂下がったりすることを防ぐことができる医療用診療台に関する。
【０００２】
【従来の技術】
典型的な先行技術は、たとえば本件出願人によって提案された特開平７−２７５３０２号公報に開示されている。この先行技術では、歯科診療台において、患者の背部を支持するバックレストと患者の頭部を支持するヘッドレストとの間の隙間から、患者の頭髪が垂下がるのを防ぐために、ヘッドレストからバックレストにわたって、髪受けカバーを設けている。この髪受けカバーは、ヘッドレストの表面とバックレストの一部とを覆うカバー本体に、ヘッドレストの裏面側に掛止められる袋状の係止部または面状ファスナによってずれやめくれ上がりを防ぎ、患者の頭髪が接触することによって、治療機器や術者の手が汚損することを防止している。
【０００３】
【発明が解決しようとする課題】
このような先行技術では、ヘッドレストを患者の頭部の位置に合わせるために移動させたとき、前記袋状の係止部からヘッドレストが離脱したり、面状ファスナが外れる場合が生じやすい。またヘッドレストを大きく角変位させたときには、髪受けカバーに皺が生じ、この皺によって患者の頭髪が挟まれてしまう場合が生じる。
【０００４】
したがって本発明の目的は、ヘッドレストの移動に拘わらず、髪受けカバーのずれや外れを防止して、患者の頭髪を挟み込むことなしに確実に支持することができる医療用診療台を提供することである。
【０００５】
【課題を解決するための手段】
請求項１記載の本発明は、患者の背部を支持するバックレストに、患者の頭部を支持するヘッドレストが前記バックレストに対して傾動自在に設けられる医療用診療台において、
バックレストには、患者の両肩部を支持する各肩支持部からヘッドレストの両側方に斜め上方に延びる張出し部がそれぞれ形成され、
各張出し部はバックレストに一体に形成されることを特徴とする医療用診療台である。
本発明に従えば、バックレストの各肩支持部に張出し部が形成され、この張出し部はバックレストと一体に形成されるので、ヘッドレストとバックレストとの間に生じる隙間を小さくして各張出し部によって患者の頭髪を保持し、ヘッドレストを角変位させても頭髪を挟み込んだり、たとえばヘッドレストの回転部に巻付いたりすることなしに、その頭髪の垂下がりを防ぎ、診療機器や術者の手やひざに触れることが防がれる。
また患者の頭部の両側が各張出し部および／またはヘッドレストの両側部によって覆われ、患者の両側方への視界が制限されて、診療機器などが目につくことがなく、これによって患者の恐怖感を軽減することができる。
また各張出し部は、斜め上方に延びて形成されるので、患者の両肩がむやみにヘッドレスト側へ移動してしまうことを防ぎ、患者を診療に適した所定の位置に仰向けに横臥させることができ、診療時における患者の所定位置への誘導の手間が省かれる。また上記の各張出し部とヘッドレストの両側部によって、患者の頭部が配置される患者側空間と、診療機器が配置される術者側空間とが仕切られ、患者の頭部の両側方および下方に術者の作業空間を確保して、患者の目に留まらない状態で診療機器などの準備や操作を円滑に行うことができる。
また従来の髪受けカバーのように、ずれ、めくれ上がりおよびヘッドレストの移動によって髪を挟み込むといったことを防ぐことができる。さらに各張出し部がバックレストの肩支持部に連なって形成されるので、見た目がすっきりし、外観上の美観が向上される。
【０００６】
請求項２記載の本発明は、ヘッドレストの両側部は、各張出し部の前記ヘッドレストが嵌まり込む凹所を挟んで斜め上方に立上がり、相互に隣接する各対向部に枢支されることを特徴とする。
本発明に従えば、各張出し部は、斜め上方に立上がって形成されるので、患者の両肩がむやみにヘッドレスト側へ移動してしまうことを防ぎ、患者を診療に適した所定の位置に仰向けに横臥させることができ、診療時における患者の所定位置への誘導の手間が省かれる。またヘッドレストの両側部が各張出し部の対向部に枢支されるので、患者の頭部の両側が各張出し部および／またはヘッドレストの両側部によって覆われ、患者の両側方への視界が制限されて、診療機器などが目につくことがなく、これによって患者の恐怖感を軽減することができる。また上記の各張出し部とヘッドレストの両側部によって、患者の頭部が配置される患者側空間と、診療機器が配置される術者側空間とが仕切られ、患者の頭部の両側方および下方に術者の作業空間を確保して、患者の目に留まらない状態で診療機器などの準備や操作を円滑に行うことができる。
【０００７】
請求項３記載の本発明は、前記張出し部の下方には、インスツルメントが保持されることを特徴とする。
本発明に従えば、インスツルメントが張出し部の下方に保持されるので、張出し部によって仕切られ、張出し部の下方に確保された術者の作業空間内にインスツルメントが保持される。したがって術者はインスツルメントの準備や操作を患者の目に留まらない状態で円滑に行うことができる。
【０００８】
【発明の実施の形態】
図１は、本発明の実施の一形態の歯科診療台１を示す平面図であり、図２は図１に示される歯科診療台１の側面図であり、図３は図１の左側から見た歯科診療台１の正面図である。医療用診療台である歯科診療台１は、基本的に、患者２を支持し、ほぼ水平に配置される診療シート３と、診療シート３を昇降する昇降手段４とを備える。診療シート３は、シート本体１４と、このシート本体１４の下方に配置されるベット本体１３とから構成される。シート本体１４は、患者２の腰部３４を支持する座板部５と、患者の背部３２を支持するバックレストであるバックレスト部６と、患者２の脚部３４を支持するフートレスト７とが一体的に形成されてほぼ水平に配置されている。診療シート３のバックレスト部６には、患者の頭部３５を支持するヘッドレスト８がバックレスト部６に対して傾動自在に設けられている。またバックレスト部６には、そのバックレスト部６の、患者２の両肩部３１ａ，３１ｂを支持する各肩支持部９ａ，９ｂからヘッドレスト８の両側方に斜め上方に延びる張出し部１０ａ，１０ｂがそれぞれ形成されている。各張出し部１０ａ，１０ｂ間にはヘッドレスト８が嵌まり込む凹所１１が形成されている。ヘッドレスト８は、各張出し部１０ａ，１０ｂの前記凹所１１を挟んで相互に隣接する各対向部１２ａ，１２ｂに、水平な軸線まわりに枢支されている。
【０００９】
前記昇降手段４は、診療室の床１５に取付けられる基台１７と、基台１７に備えられる図示しない昇降駆動手段によって昇降される昇降体１８とから成り、昇降体１８に診療シート３のベット本体１３が固定されている。基台１７にはフートスイッチ１９が設けられており、このスイッチ１９を操作することによって昇降体１８を昇降し、診療シート３を矢符Ａ１，Ａ２で示す上下方向に昇降させることができる。
【００１０】
歯科診療台１には、診療シート３の側方から立上がる支柱２０が設けられており、支柱２０の先端部から延びるアーム２１には照明用のデンタルライト２２が２つ設けられている。またヘッドレスト８付近には、術者が着座する診療椅子２３が、床１６に移動自在に設けられている。ベット本体１３には、各肩支持部９ａ，９ｂ付近に術者用インスツルメント４２および補助者用インスツルメント４３が引出し可能に装着されている。術者用インスツルメント４２は、３ウエイシリンジ、エアータービンハンドピース、マイクロモータハンドピースなどを備え、補助者用インスツルメント４３は、３ウエイシリンジおよびバキュームシリンジなどを備える。このような診療台を用いて、術者および補助者は、これらの診療機器である術者用インスツルメント４２および補助者用インスツルメント４３を用い、患者２を診療シート３上に仰向けに横臥させ、術者が診療椅子に着座して患者２を診療する。
【００１１】
ヘッドレスト８は、半円弧状に湾曲する板状であり、この両側方がピン２４ａ，２４ｂによって前記対向部１２ａ，１２ｂに枢支されている。このヘッドレスト８は、係止手段２６によってピン２４ａ，２４ｂを結ぶ水平軸線まわりに図２の矢符Ｂ１，Ｂ２で示す方向に角変位可能にベッド本体１３に連結される。
【００１２】
患者２の右側に位置する張出し部１０ａは、前記ピン２４ａが設けられる位置である点Ｐ１ａと、患者２の首部３０の右側部の鉛直下方に対応する位置である点Ｐ２ａと、たとえば大人の患者２に対して体格の異なる子供の患者２ａなど、体型の異なる患者２，２ａが口Ｍを同じ位置に配置した状態で、各患者２，２ａの各肩部３１ａの鉛直下方に対応する点を結び、側方に延長して診療シート３の右側面３ａと交わる点Ｐ３ａとを結ぶ、図１に斜線を付して示す略三角形状の領域Ｓａを少なくとも含んで形成されている。患者２の左側に形成される張出し部１０ｂは、前記張出し部１０ａと対称に形成されるので、添字ａに代えて添字ｂを付し、説明は省略する。本形態では各張出し部１０ａ，１０ｂは互いに連なり、シート本体１４に一体に形成される。
【００１３】
各点Ｐ１ａ，Ｐ１ｂ間はヘッドレスト８の両側部間の距離とほぼ等しく選ばれ、各点Ｐ２ａ，Ｐ２ｂ間は患者２の首の幅にほぼ等しく選ばれている。このような各張出し部１０ａ，１０ｂによって形成される前記凹所１１は、半円弧状に形成され、この凹所１１にヘッドレスト８を嵌まり込ませた状態で取付けたときに、バックレスト部６とヘッドレスト８との間に大きな隙間が形成されない。このような張出し部１０ａ，１０ｂを形成することによって、診療シート３上に患者２が仰向けに横臥したときに、患者２の頭髪を患者２の背後および患者の側部に沿って案内し、頭髪が垂れ下がることを防ぐことができる。
【００１４】
前記ピン２４ａ，２４ｂは、バックレスト部６の上面６ａから高さＨ、たとえば高さＨ＝７０〜１００ｍｍ程度上方に設けられている。ヘッドレスト８の患者２の頭部３５が当接する当接部４０は、前記各ピン２４ａ，２４ｂよりも下方に配置されている。これによって患者の頭部３５を、患者に無理な姿勢を要求することなく支持することができる。また各ピン２４ａ，２４ｂが固定される各対向部１２ａ，１２ｂを有する各張出し部１０ａ，１０ｂは、バックレスト部６から斜め上方に立上がっており、各張出し部１０ａ，１０ｂおよびヘッドレスト８の両側部４１ａ，４１ｂによって、患者２の視界が遮断され、各種のインスツルメント４２，４３が見えず、患者に恐怖感を与えることがない。
【００１５】
また各張出し部１０ａ，１０ｂおよびヘッドレスト８によって患者２の頭部３５が配置される患者側空間４４と、術者用インスツルメント４２および補助者用インスツルメント４３が配置される術者側空間４５とが仕切られる。これによって、患者の頭髪が術者側空間４５に垂れ下がり、術者用インスツルメント４２および補助者用インスツルメント４３や術者および補助者の手が汚損されたり、診療椅子２３に着座する術者のひざに触れたりすることが防がれる。また前述のように患者２の視界が制限されるとともに術者の作業空間を確保することができ、患者２の目につかない状態で、術者用インスツルメント４２などの準備や操作を円滑に行うことができる。
【００１６】
図４は、前記係止手段２６の具体的構成を示す断面図であり、図５は図４に示す状態からヘッドレスト８を倒し角変位させた状態を示す断面図である。係止手段２６は、シート本体１４のヘッドレスト８側の下面に固定され、略環状のケーシング５２とこのケーシング５２内に設けられ互いに対向する押圧ばね４６と係止爪４７とケーシング５２に挿入される支持棒２５とから構成される。支持棒２５は、長手方向一端部がヘッドレスト８の一方側（図４の左方）の下面に設けられたブラケット４８に支軸４９によって角変位自在に連結されており、長手方向他端部付近には、その長手方向に間隔をあけて複数の係合溝５０が形成されている。このような支持棒２５の長手方向他端部が前記押圧ばね４６と係止爪４７との間に挟持されるようにケーシング５２に挿入し、各係合溝５０のいずれか一つに選択的に係止爪４７を嵌まり込ませた状態で挟持して各支持棒が固定的に支持される。これによって、ヘッドレスト８を、前記各ピン２４ａ，２４ｂを結ぶ水平軸線まわりに角変位可能に固定することができる。
【００１７】
図４に示す状態から図５に示すように、係止爪４７が嵌まり込む係合溝５０を代えることによって、ヘッドレスト８を角変位させて患者２の頭部３５を矢符Ｂ２方向に倒すことができる。各係合溝５０間の間隔Ｌは、ヘッドレスト８の角変位角度θと対応しており、係止爪４７を嵌まり込ませる係合溝５０を選択して、ヘッドレスト８の角変位角度を選択することができる。
【００１８】
このようにして患者２の頭部を矢符Ｂ２方向に倒したとき、患者２の頭部３５は患者の第４頸椎５１を中心に移動して角変位されるので、患者２の頭部３５先端の移動距離が短いわりに患者２の口Ｍを開けることができる。しかも患者２の両肩部３１ａ，３１ｂは、斜め上方に延びる各張出し部１０ａ，１０ｂに当接しているので、矢符Ｄで示すように患者２の頭部３５側へ変位してしまうことが防がれる。したがって患者２の口Ｍの位置がヘッドレスト８の角変位によって大きく変位しないので、術者は円滑に診療することができる。
【００１９】
体格の違いなどによって、頭部３５を倒したときの角変位中心が第３頸椎となる場合がある。
【００２０】
またシート本体１４は耐薬品性および撥水性を有するポリエチレンまたは塩化ビニルからなるシートによって覆われ、これによって薬品によって変質することが防がれ、薬品や水が付着したときには払拭することによって容易に拭い取ることができる。またシート本体１４に抗菌コーティングしてもよく、これによって雑菌の繁殖を防ぎ、メインテナンスが容易になり、歯科診療台として好適に実施することができる。
【００２１】
図６は本発明の実施の他の形態の歯科診療台１ａを示す平面図であり、図７は図６に示される歯科診療台１ａの側面図であり、図８は図７の左側から見た歯科診療台１ａの正面図である。なお図１〜図５に示す形態と同様の構成を有する部分には同一の参照符号を付し、説明を省略する場合がある。本形態の歯科診療台１ａは、診療室などの床１６上に載置される昇降手段４と、この昇降手段４によって矢符Ａ１，Ａ２方向に昇降駆動される診療シート６１とから成る。診療シート６１は、患者２が着座する座板部６２および脚部３４を支持するフートレスト部６３が一体的に形成され、ほぼ水平に配置される着座シート６４と、この着座シート６４に矢符Ｅ１，Ｅ２方向に傾動自在に設けられ、患者２の背部３２を支持するバックレスト６５とを有する。
【００２２】
バックレスト６５には、ヘッドレスト６６が係止手段６７によって所望の傾動位置に係止されるとともに、患者２の両肩部３１ａ，３１ｂを支持する各肩支持部６８ａ，６８ｂが形成され、この各肩支持部６８ａ，６８ｂには患者の両肩部３１ａ，３１ｂが部分的に嵌まり込み、緩やかに湾曲した凹部６９ａ，６９ｂが形成されている。さらにバックレスト６５の各凹部６９ａ，６９ｂが形成される各肩支持部６８ａ，６８ｂに連なって張出し部７０ａ，７０ｂがそれぞれ形成されている。各張出し部７０ａ，７０ｂは、前述の図１〜図５の形態と同様に、少なくとも点Ｐ１ａ，Ｐ２ａ，Ｐ３ａ；Ｐ１ｂ，Ｐ２ｂ，Ｐ３ｂによって囲まれた領域Ｓａ，Ｓｂを含む範囲にヘッドレスト６６側に延び、しかもヘッドレスト６６の頭部３５を支持する当接部７１よりも下方またはほぼ同一高さの位置に形成されている。これによって患者２の両側方への視界が遮断されず、患者に圧迫感を与えることを防ぐことができるとともに、各張出し部７０ａ，７０ｂによって患者からは斜め下方への視界が遮断されるので、各種のインスツルメント４２，４３は視認されず、患者２に恐怖感を与えることが防がれる。このような各張出し部７０ａ，７０ｂを形成することによって、前述のように圧迫感や恐怖感を患者２に与えることなく患者の頭髪が術者側空間４５に垂れ下がることを防止することができる。
【００２３】
図９は、係止手段６７の具体的構成を示す断面図であり、図１０は図９に示す状態からヘッドレスト６６を角変位させた状態を示す断面図である。前記係止手段６７は、バックレスト６５に固定される案内管７２と、この案内管７２に枢支され、捩りばね７３によって先端部７４ａが図９における時計まわりにばね付勢される係止爪７４と、この係止爪７４の前記先端部７４ａが嵌まり込む複数の係合溝７５が形成され、これらの各係合溝７５が形成される軸線方向一端部付近が前記案内管７２内に挿入されて支持される円弧状でかつ中空の支持アーム７６と、支持アーム７６の軸線方向他端部に角変位自在に設けられる操作レバー７７と、操作レバー７７の角変位によって前記支持アーム７６内で傾動し、各係合溝７５のいずれか１つに係合した係止爪７４の先端部７４ａを支持アーム７６からその半径方向外方に押圧して係止爪７４の係合溝７５への係合状態を解除する円弧状のロック解除部材７８とを有する。
【００２４】
前記支持アーム７６の軸線方向他端部は、ヘッドレスト６６の下面に固着されたブラケット７９にたとえば溶接によって固定される。この支持アーム７６は、案内管７２内に挿入され、係止爪７４の先端部７４ａが係合溝７５に嵌まり込むことによって固定的に係止される。この状態からレバー７２を矢符Ｆ方向に引くことによってロック解除部材７８によって係止爪７４を押圧し、係止爪７４の先端部７４ａを係合溝７５から退避させ、支持アーム７６を案内管７２に沿って変位させることができる。これに伴ってヘッドレスト６６が、案内管７２の曲率の中心まわりに角変位される。支持アーム７６を変位させて、ヘッドレスト６６が所望の位置に配置された状態で係止爪７４の先端部７４ａを係合溝７５に嵌まり込ませることによって、ヘッドレスト６６を所望の位置に配置して支持することができる。
【００２５】
このような係止手段６７によって図１〜図５に示す形態と同様に、図９に示す状態から操作レバー７７を操作して係止爪７４の先端部７４ａが嵌まり込む係合溝７５を代えることによって患者２の頭部３５を矢符Ｂ２方向に倒すことができる。各係合溝７５の間隔は、ヘッドレスト６８の角変位角度に対応しており、係止爪７４の先端部７４ａを嵌まり込ませる係合溝７５を選択することによってヘッドレスト６８の角変位位置を任意に選択することができる。
【００２６】
歯科診療台１ａにおいて、患者２がバックレスト６５の各凹部６９ａ，６９ｂに両肩部３１ａ，３１ｂを嵌まり込ませ、頭部３５をヘッドレスト６８に支持して診療ベッド６１に仰向けに横臥したときに、患者２の第７頸椎５３が案内管７２の曲率の中心に配置され、これによってヘッドレスト６６を変位させて患者２の頭部３５を矢符Ｂ２方向に倒したとき、患者２の頭部３５はその患者の第７頸椎５３を中心に移動して角変位させるので、患者の首部３０に負担がかからない。したがってこのように頭部３５を倒しても、患者２に不安感を与えることはない。しかも患者２の両肩部３１ａ，３１ｂが凹部６９ａ，６９ｂに嵌まり込んで支持されており、患者２は、矢符Ｄで示されるように頭部３５側へ変位してしまうことが防がれる。したがって患者２の口Ｍは、ヘッドレスト６６を変位させて頭部３５を倒しても大きく変位しないので、術者は円滑に手術をすることができる。
【００２７】
図１１は本発明の実施のさらに他の形態の歯科診療台１ｂを示す平面図であり、図１２は図１１に示される歯科診療台１ｂの側面図であり、図１３は図１２の左側から見た歯科診療台１ｂの正面図である。本形態の歯科診療台１ｂは、図６〜図１０に示される歯科診療台１ａと類似しており、対応する部分には同一の参照符号を付し、説明を省略する。
【００２８】
注目すべきは前述の構成において、各張出し部７０ａ，７０ｂは、各凹部６９ａ，６９ｂが形成される各肩支持部６８ａ，６８ｂからヘッドレスト６８の両側方に延出し、各肩支持部６８ａ，６８ｂからヘッドレスト６８の両側部８０ａ，８０ｂに近接するにつれて滑らかに上方に立上がって形成される。このような各張出し部７０ａ，７０ｂによって患者２の頭髪を、患者２の側部および背部３２に滑らかに案内して保持することができる。また、患者２の頭部３５を右または左に傾動させても、図１３に示す仮想線ｍａ，ｍｂよりも下方の視界が遮断されるので、患者２は各インスツルメント４２，４３の操作が目に留まらないので、術者は患者２に恐怖感や不安感を与えることはない。歯科診療台１ｂは、図６〜図１０に示す歯科診療台１ａと同様に患者２に恐怖感や不安感を抱かせることなく、円滑に診療を行うことができる。
【００２９】
本発明は、上記の歯科診療台１，１ａ，１ｂに限られず、耳鼻咽喉科用診療台および眼科用診療台などに好適に実施して、同様の構成を得ることができる。
【００３０】
また上記の構成では、ベット本体１３に術者用インスツルメント４２および補助者用インスツルメント４３が設けられたけれども、本発明の実施の他の形態として、たとえば３ウェイシリンジから吐出するエアーや水の吐出量を調整するためのスイッチなど各種操作スイッチや、前記エアーや水の吐出量を表示する表示部などを備えるようにしてもよい。この場合、各インスツルメントは、バックレストまたはバックレスト部に設けられるトレーテーブルに着脱自在に掛止めるように構成してもよい。このような構成にしても、診療機器である前記各種操作スイッチ、各表示部および術者による操作が患者の目に留まることはなく、円滑に診療を行うことができる。
【００３１】
また、術者が診療椅子２３に着座した状態で、術者が術者用インスツルメント４２の存在する方向を眺めたときの視線経路を含む範囲にわたって各張出し部１０ａ，１０ｂ；７０ａ，７０ｂに透光性を有する材料から成る透明部分を部分的に形成して、患者の目には留まらない状態で術者が術者用インスツルメント４２を容易に視認することができるようにして、円滑に診療が行えるように構成してもよい。
【００３４】
【発明の効果】
以上のように請求項１記載の本発明によれば、バックレストの各肩支持部に張出し部が形成され、この張出し部はバックレストと一体に形成されるので、ヘッドレストとバックレストとの間に生じる隙間を小さくして各張出し部によって患者の頭髪を保持し、ヘッドレストを角変位させても頭髪を挟み込んだり、たとえばヘッドレストの回転部に巻付いたりすることなしに、その頭髪の垂下がりを防ぎ、診療機器や術者の手やひざに触れることが防がれる。
また患者の頭部の両側が各張出し部および／またはヘッドレストの両側部によって覆われ、患者の両側方への視界が制限されて、診療機器などが目につくことがなく、これによって患者の恐怖感を軽減することができる。
また各張出し部は、斜め上方に延びて形成されるので、患者の両肩がむやみにヘッドレスト側へ移動してしまうことを防ぎ、患者を診療に適した所定の位置に仰向けに横臥させることができ、診療時における患者の所定位置への誘導の手間が省かれる。また上記の各張出し部とヘッドレストの両側部によって、患者の頭部が配置される患者側空間と、診療機器が配置される術者側空間とが仕切られ、患者の頭部の両側方および下方に術者の作業空間を確保して、患者の目に留まらない状態で診療機器などの準備や操作を円滑に行うことができる。
【００３５】
また従来の髪受けカバーのように、ずれ、めくれ上がりおよびヘッドレストの移動によって髪を挟み込むといったことを防ぐことができる。さらに各張出し部がバックレストの肩支持部に連なって形成されるので、見た目がすっきりし、外観上の美観が向上される。
【００３６】
請求項２記載の本発明によれば、各張出し部は、斜め上方に立上がって形成されるので、患者の両肩がむやみにヘッドレスト側へ移動してしまうことを防ぎ、患者を診療に適した所定の位置に仰向けに横臥させることができ、診療時における患者の所定位置への誘導の手間が省かれる。またヘッドレストの両側部が各張出し部の対向部に枢支されるので、患者の頭部の両側が各張出し部および／またはヘッドレストの両側部によって覆われ、患者の両側方への視界が制限されて、診療機器などが目につくことがなく、これによって患者の恐怖感を軽減することができる。また上記の各張出し部とヘッドレストの両側部によって、患者の頭部が配置される患者側空間と、診療機器が配置される術者側空間とが仕切られ、患者の頭部の両側方および下方に術者の作業空間を確保して、患者の目に留まらない状態で診療機器などの準備や操作を円滑に行うことができる。
【００３７】
請求項３記載の本発明によれば、インスツルメントが張出し部の下方に保持されるので、張出し部によって仕切られ、張出し部の下方に確保された術者の作業空間内にインスツルメントが保持される。したがって術者はインスツルメントの準備や操作を患者の目に留まらない状態で円滑に行うことができる。
【図面の簡単な説明】
【図１】本発明の実施の一形態の歯科診療台１を示す平面図である。
【図２】歯科診療台１を示す側面図である。
【図３】歯科診療台１を示す正面図である。
【図４】係止手段２６の具体的構成を示す断面図である。
【図５】図４に示す状態からヘッドレスト８を角変位させた状態を示す断面図である。
【図６】本発明の実施の他の形態の歯科診療台１ａの平面図である。
【図７】歯科診療台１ａの側面図である。
【図８】歯科診療台ａの正面図である。
【図９】係止手段６７の具体的構成を示す断面図である。
【図１０】図９に示す状態からヘッドレスト６６を角変位させた状態を示す断面図である。
【図１１】本発明の実施のさらに他の形態の歯科診療台１ｂを示す平面図である。
【図１２】歯科診療台１ｂの側面図である。
【図１３】歯科診療台１ｂの正面図である。
【符号の説明】
１，１ａ，１ｂ  歯科診療台
２  患者
３，６１  診療シート
４  昇降手段
５  座板部
６  バックレスト部
７  フートレスト部
８，６６  ヘッドレスト
９ａ，９ｂ，６８ａ，６８ｂ  肩支持部
１０ａ，１０ｂ；７０ａ，７０ｂ；９１ａ，９１ｂ  張出し部
１１  凹所
１２ａ，１２ｂ  対向部
２６，６７  係止手段
３１ａ，３１ｂ  肩部
３５  頭部
４１ａ，４１ｂ  ヘッドレストの両側部
４２  術者用インスツルメント
４３  補助者用インスツルメント
４４  患者側空間
４５  術者側空間
６４  着座シート
６５  バックレスト
６９ａ，６９ｂ  凹部
【図１】
0003574257.tif 000002
【図２】
0003574257.tif 000003
【図３】
0003574257.tif 000004
【図４】
0003574257.tif 000005
【図５】
0003574257.tif 000006
【図６】
0003574257.tif 000007
【図７】
0003574257.tif 000008
【図８】
0003574257.tif 000009
【図９】
0003574257.tif 000010
【図１０】
0003574257.tif 000011
【図１１】
0003574257.tif 000012
【図１２】
0003574257.tif 000013
【図１３】
0003574257.tif 000014